(57)【要約】【課題】  通信端末装置を装着することによりファクス機能およびネットワーク機能が有効になることで、不特定の機器を容易に自分用に使用することができるデジタル複合機を提供する。【解決手段】  少なくてもコピー機能、ファクス機能等の複数の機能を有するデジタル複合機において、携帯電話等の通信端末装置を電気的に接続するための装着手段を備え、その通信端末装置を装着することによりファクス機能およびネットワーク機能が有効になる構成となっている。【選択図】      図２
2005094704.tif 000002
【特許請求の範囲】
【請求項１】
複数の機能を有するデジタル複合機であって、通信端末装置を電気的に接続するための装着手段を備え、前記通信端末装置を装着することによりファクス機能およびネットワーク機能が有効になることを特徴とするデジタル複合機。
【請求項２】
請求項１のデジタル複合機において、前記通信端末装置側の特定情報を認証することで機器機能が有効になることを特徴とするデジタル複合機。
【請求項３】
請求項１あるいは２のデジタル複合機において、前記デジタル複合機に対して前記通信端末装置を着脱し、前記通信端末装置側から機器本体を遠隔操作することを特徴とするデジタル複合機。
【請求項４】
請求項１あるいは２のデジタル複合機において、前記通信端末装置側のユーザー情報を利用して機器本体の制御を行うことを特徴とするデジタル複合機。
【請求項５】
請求項１のデジタル複合機において、前記通信端末装置を装着し、ファクス機能およびネットワーク機能を無効にすると前記通信端末装置側へ履歴等のユーザー情報が取得されることを特徴とするデジタル複合機。
【請求項６】
請求項５のデジタル複合機において、前記通信端末装置を取り外すと、前記機器本体から履歴等のユーザー情報や制御情報が削除され、前記通信端末装置側からは操作できなくなることを特徴とするデジタル複合機。
【請求項７】
請求項１のデジタル複合機において、前記通信端末装置の装着により認証することでデジタル複合機内のデータアクセスが有効になることを特徴とするデジタル複合機。
【請求項８】
請求項１あるいは７のデジタル複合機において、前記通信端末装置側にデジタル複合機内のデータを取り込むことを特徴とするデジタル複合機。
【請求項９】
請求項１あるいは７のデジタル複合機において、前記通信端末装置側に蓄積されたデータをデジタル複合機内に吐き出しデジタル複合機側から出力することを特徴とするデジタル複合機。
【請求項１０】
請求項７あるいは９のデジタル複合機において、前記デジタル複合機に対して前記通信端末装置を着脱し、前記通信端末装置側から機器本体を遠隔操作することを特徴とするデジタル複合機。
【請求項１１】
請求項１あるいは１０のデジタル複合機において、着脱した通信端末装置側から任意の時間にアクセスが無い場合、認証を解除することを特徴とするデジタル複合機。
【発明の詳細な説明】
【技術分野】
【０００１】
この発明は、携帯電話等の通信端末装置と連携するファクシミリ、デジタルコピア、イメージスキャナ等の機能を備えたデジタル複合機に関し、特に、その通信端末装置を装着することによりファクス機能およびネットワーク機能が有効になることで、不特定の機器を容易に自分用に使用することができるデジタル複合機に関するものである。
【背景技術】
【０００２】
近年、携帯電話等の通信端末装置が装着可能であり、ファクシミリ、デジタルコピア、イメージスキャナ等の機能を備えたデジタル複合機が提案されており、様々な形態が考えられている。
なお、先行技術としては、特開平１０−１２６５２６号公報（携帯電話機を装置本体に着脱可能に備えたファクシミリ装置において、留守モードにするためにわざわざスイッチなどで設定しなくて済むようにするため、搭載された携帯電話機が取り外されたか否かを検出する携帯電話検出部と、携帯電話検出部が携帯電話機の取り外されたことを検出したときに自動的に留守モードに設定する留守モード設定手段と、留守モードに設定されているときに着呼があると発呼側に留守である旨の応答メッセージを送出するメッセージ送出手段とを備えることにより、携帯電話機が取り外されると自動的に留守モードになり、その留守モードで着呼があると、発呼側に留守である旨の応答メッセージが送出されるようにした）、また特開平１０−２４３０８３号公報（ファクシミリ装置と携帯電話と統合的に使用することのできるファクシミリ装置の制御装置を提供するため、着信時に携帯電話が装着されておらず、留守モードがセットされているときには、相手端末がグループ３ファクシミリ装置であれば、ファクシミリ受信動作を行って受信画情報を蓄積し、次いで、携帯電話を呼び出して転送先のファクシミリの電話番号を通知させ、その通知された転送先のファクシミリに対して、蓄積した画情報を転送するので、ユーザーは、出先のグループ３ファクシミリ装置で受信した画情報を受け取ることができ、画情報通信の即時性を保持することができて、非常に便利であるという効果を得る）、特開平１１−２８４７５７号公報（携帯電話機を用いて家電機器等の予約操作を可能とするため、携帯電話機と、この携帯電話機からの信号を受信し、受信した信号に従って被制御機器を遠隔制御するための遠隔制御信号を光送信する制御手段と、この制御手段から光送信された遠隔制御信号に従って遠隔制御される複数の被制御機器とを備える）等が挙げられる。
【特許文献１】特開平１０−１２６５２６号公報
【特許文献２】特開平１０−２４３０８３号公報
【特許文献３】特開平１１−２８４７５７号公報
【発明の開示】
【発明が解決しようとする課題】
【０００３】
しかしながら、上記従来の携帯電話等の通信端末装置が装着可能であるファクシミリ、デジタルコピア、イメージスキャナ等の機能を備えたデジタル複合機では、上記携帯電話等の通信端末装置の機能が著しく進歩しているにもかかわらず、上記携帯電話等の通信端末装置の機能が十分に生かされていないという問題点があった。
すなわち、上記従来の携帯電話等の通信端末装置が装着可能であるファクシミリ、デジタルコピア、イメージスキャナ等の機能を備えたデジタル複合機では、主に携帯電話が取り外された時の話で、装着した時の活用がない、単なるテレビ等のリモコンとしての利用でしかない、機器と端末間で情報のやり取りがないものであった。
本発明は、上記従来の課題を解決するためのもので、その目的は、通信端末装置を装着することによりファクス機能およびネットワーク機能が有効になることで、不特定の機器を容易に自分用に使用することができるデジタル複合機を提供することである。
【課題を解決するための手段】
【０００４】
上述の目的を達成するために、請求項１記載の発明は、複数の機能を有するデジタル複合機において、携帯電話等の通信端末装置を電気的に接続するための装着手段を備え、その通信端末装置を装着することによりファクス機能およびネットワーク機能が有効になることを特徴とする。
また、請求項２記載の発明は、請求項１のデジタル複合機において、前記通信端末装置側の特定情報を認証することで機器機能が有効になることを特徴とする。
また、請求項３記載の発明は、請求項１あるいは２のデジタル複合機において、前記デジタル複合機に対して前記通信端末装置を着脱し、前記通信端末装置側から機器本体を遠隔操作することを特徴とする。
また、請求項４記載の発明は、請求項１あるいは２のデジタル複合機において、前記通信端末装置側のユーザー情報を利用して機器本体の制御を行うことを特徴とする。
また、請求項５記載の発明は、請求項１のデジタル複合機において、前記通信端末装置を装着し、ファクス機能およびネットワーク機能を無効すると前記通信端末装置側へ履歴等のユーザー情報が取得されることを特徴とする。
また、請求項６記載の発明は、請求項５のデジタル複合機において、前記通信端末装置を取り外すと、前記機器本体から履歴等のユーザー情報や制御情報が削除され、通信端末装置側からは操作できなくなることを特徴とする。
また、請求項７記載の発明は、請求項１のデジタル複合機において、通信端末装置の装着により認証することでデジタル複合機内のデータアクセスが有効になることを特徴とする。
また、請求項８記載の発明は、請求項１あるいは７のデジタル複合機において、前記通信端末装置側にデジタル複合機内のデータを取り込むことを特徴とする。
また、請求項９記載の発明は、請求項１あるいは７のデジタル複合機において、前記通信端末装置側に蓄積されたデータをデジタル複合機内に吐き出しデジタル複合機側から出力することを特徴とする。
また、請求項１０記載の発明は、請求項７あるいは９のデジタル複合機において、前記デジタル複合機に対して前記通信端末装置着脱し、前記通信端末装置側から機器本体を遠隔操作することを特徴とする。
また、請求項１１記載の発明は、請求項１あるいは１０のデジタル複合機において、着脱した通信端末装置側から任意の時間にアクセスが無い場合、認証を解除することを特徴とする。
【発明の効果】
【０００５】
請求項１の発明によれば、携帯電話等の通信端末装置の装着手段を備えたデジタル複合機において、その通信端末装置を装着することによりファクス機能およびネットワーク機能が有効になることで、不特定の機器を容易に自分用に使用することができる。
請求項２の発明によれば、通信端末装置側の特定情報を認証することで機器機能が有効になることで、不特定の機器を容易に自分用に使用することができる。
請求項３の発明によれば、着脱して通信端末装置側から機器本体を遠隔操作できることで、操作性を向上することができる。
請求項４の発明によれば、通信端末装置側のユーザー情報（住所録、通信情報等）を利用して機器本体の制御を行うことで、不特定の機器を容易に自分用に使用することができる。
請求項５の発明によれば、通信端末装置を装着し、ファクス機能およびネットワーク機能を無効すると通信端末装置側へ履歴等のユーザー情報を取得できることで、個人情報を保護することができる。
請求項６の発明によれば、通信端末装置を取り外すと、機器本体から履歴等のユーザー情報や制御情報が削除され、通信端末装置側からは操作できなくなることで、個人情報を保護することができる。
請求項７の発明によれば、通信端末装置の装着により認証することでデジタル複合機内のデータアクセスが有効になることで、不特定の機器を容易に自分用に使用することができる。
請求項８の発明によれば、通信端末装置側にデジタル複合機内のデータを取り込むことで、不特定の機器を容易に自分用に使用することができる。
請求項９の発明によれば、通信端末装置側に蓄積されたデータをデジタル複合機内に吐き出しデジタル複合機側から出力することで、不特定の機器を容易に自分用に使用することができる。
請求項１０の発明によれば、着脱して通信端末装置側からデジタル複合機内のデータを遠隔操作できることで、操作性を向上することができる。
請求項１１の発明によれば、着脱した通信端末装置側から任意の時間にアクセスが無い場合、認証を解除することで、個人情報を保護することができる。
【発明を実施するための最良の形態】
【０００６】
以下に添付の図を参照してこの発明の実施形態を詳細に説明する。
【実施例】
【０００７】
本発明の実施形態を説明する前に、本発明の実施形態の特徴を明確にするため、まず、従来のファクシミリ機能をそなえたデジタル複写機について説明する。
図６は、一般のデジタル複写機の要部に関する一実施形態の概略図である。
図６に示すように、このデジタル複写機は、複写機本体１、自動原稿送り装置（以後ＡＤＦ）１００、３ビンソーター２００、給紙ユニット（以後バンク）３００を有する。
複写機本体１は、スキャナー、画像処理部およびプロッタ−などを有し、スキャナーは、原稿を載置するコンタクトガラス１０と光学走査系で構成されており、光学走査系には、露光ランプ１１、第１ミラー１２、レンズ１５、フルカラーＣＣＤ１６等々で構成されている。露光ランプ１１および第１ミラー１２を装備しており原稿読み取り時はステッピングモーターにより駆動されて一定の速度で移動する第１キャリッジと、第２ミラー１３および第３ミラー１４を装備しており原稿読み取り時にステッピングモーターにより駆動されて第１キャリッジの１／２の速度で駆動する第２キャリッジを有する。
この第１キャリッジ、第２キャリッジによりコンタクトガラス１０上の図示しない原稿が光学的に走査され、露光ランプ１１、第１ミラー１２、第２ミラー１３、第３ミラー１４およびレンズ１５を介してＣＣＤ１６上に結像され光電変換される。ＣＣＤで赤（Ｒ）、緑（Ｇ）、青（Ｂ）の各色に分離された画像信号はＡＤ変換器によりＡＤ変換され画像処理を行っている画像処理部へ出力される。
画像処理部は、ＡＤ変換器からの画像信号に種々の画像処理（２値化、多値化、変倍、編集など）を施し、デジタル信号に変換する。書き込みユニットは、レーザー出力ユニット２０、ｆθレンズ２１、ミラー２２で構成され、レーザー出力ユニット２０の内部には、レーザー光源であるレーザーダイオードおよびポリゴンモーターが備わっている。
画像処理部から出力された黒画像信号は、この画像信号に対応した強度を有するレーザー光に転換され、コリメートレンズ、アパーチャー、シリンダレンズにより一定形状の光束に整形されポリゴンモーターに照射され、レーザー出力ユニット２０から出力される。レーザー出力ユニット２０から出力されたレーザー光は、ｆθレンズ２１、ミラー２２を介して感光体ドラム３０に照射される。また、ｆθレンズ２１を通過したレーザー光は、画像領域外に配置された主走査同期検知信号ＰＭＳＹＮＣを発生するビームセンサーに照射される。
画像処理部から出力された赤画像信号は、黒画像信号との書き込み位置を合わせるためにバッファリングされ、ＬＥＤ書き込みユニット３１に送られ感光体ドラム３０に照射される。
ＡＤＦ１００は、原稿を１枚ずつ複写機本体１のコンタクトガラス１０へ給紙し、複写後に排紙する。原稿は原稿給紙台１０１上に積載され、サイドガイドにより幅方向が揃えられる。原稿給紙台１０１上の原稿は、一番下の原稿から給紙ローラー１０２により１枚ずつ分離して給紙され、搬送ベルト１０３により、複写機本体１のコンタクトガラス１０上に送られる。コンタクトガラス１０上の原稿は読み取り終了後、搬送ベルト１０３および排紙ローラー１０４により排紙トレイ１０５に排紙される。
【０００８】
両面の原稿を読み取る場合、原稿給紙台１０１上の両面原稿は、給紙ローラー１０２により１枚ずつ分離して給紙され、搬送ベルト１０３により、複写機本体１のコンタクトガラス１０上に送られる。原稿の表面読み取り終了後、搬送ベルト１０３によって搬送され、反転爪１０６によって原稿反転後コンタクトガラス１０上に送られる。原稿の裏面読み取り終了後、搬送ベルト１０３および排紙ローラー１０４により排紙トレイ１０５に排紙される。
第１トレイ５０、第２トレイ３１０、第３トレイ３２０、第４トレイ３３０に積載された転写紙は、各々の第１給紙装置５１、第２給紙装置３１１、第３給紙装置３２１、第４給紙装置３３１によって給紙され、バンク縦搬送ユニット３４０および本体縦搬送ユニット６０によって搬送される。この転写紙の先端がレジストセンサー５２で検出されると一定時間搬送後、レジストローラ５３で停止する。
この転写紙は、画像有効信号（ＦＧＡＴＥ）の先端に会わせて感光体ドラム３０上に送出され、転写チャージャーにより画像を転写され、感光体から転写紙を分離後、搬送装置５４により搬送され、定着ローラーおよび加圧ローラーを有する定着装置５５により定着され、排紙ローラー５６によって３ビンソーター２００に排紙される。
感光体上への画像形成は、第１帯電装置によって感光体ドラム３０上に帯電された電荷をレーザー光を照射することにより静電潜像を形成し、黒現像器３２によって感光体ドラム３０上に画像を形成する。その後、第２帯電装置により感光体ドラム３０上に再度帯電を行い、ＬＥＤアレイ３１によって２色目の静電潜像を形成し、第２現像器３３によって感光体ドラム３０上に画像を形成している。
両面ユニット４０を使用して両面印刷を行う場合、定着装置５５からの転写紙は切り替え爪５７により両面搬送路４１に導かれ、フィードローラー４２、分離コロ４３を通過して両面トレイに集積される。トレイに集積された転写紙は、トレイが上昇することによりフィードローラー４２と接触し、フィードローラー４２が回転することにより本体縦搬送ユニット６０に送られ、レジストローラ５３へ再給紙された後に裏面に対して印刷が行われる。
３ビンソーター２００には第１排紙トレイ２０１、第２排紙トレイ２０２、第３排紙トレイ２０３、反転専用トレイ２０４があり、それぞれのトレイに転写紙を反転して出力できるように構成されている。
複写機本体１から排紙された転写紙は、表面排紙の場合、切り替え爪２０７によって排紙トレイ方向に導かれ、あらかじめ設定したトレイに排紙される。第２排紙トレイ２０２に排紙する場合には第２トレイ切り替え爪２０５、第３排紙トレイ２０３に排紙する場合には第３トレイ切り替え爪２０６がそれぞれ作動して転写紙を導く。
反転排紙する場合には、切り替え爪２０７によって反転トレイ２０４方向に導かれ、転写紙の後端が反転検知センサー２０８を通過すると、搬送コロ２０９が逆転し、排紙トレイ方向に導かれ、あらかじめ設定したトレイに排紙される。
また、第１排紙トレイ２０１には、トレイを前後にシフトする機能、上下にシフトする機能が搭載されている。シフト機能は、転写紙を仕分けする時に使用し、上下機能は、大量の転写紙を用紙揃え性を確保しながら積載するために使用する。
【０００９】
図７は、図６に示したデジタル複写機の操作部４００の正面図である。
図７に示すように、操作部の中央には、４００ｘ２５６ｄｏｔの液晶表示部（ＬＣＤ）４０１およびタッチパネルが設けられている。この液晶表示部４０１には、機械に組み込まれている機能（コピー、ＦＡＸ）の表示が行われ、ユーザーはこの表示に従って機械の操作を行う。機能（コピー、ＦＡＸ）の切り替えは、機能切り替えキー４１２、４１３によって行われる。
この液晶表示部４０１の右側にはコピー、ＦＡＸで共通に使用する各種テンキー４０２、クリア／ストップキー４０３、スタートキー４０４、プログラムキー４０５、ジョブリコールキー４０６、モードクリア／予熱キー４０７、割り込みキー４０８等の各種キーと、ＦＡＸ専用で使用するポーズ／リダイヤルキー４０９、短縮キー４１０、受信キー４１１等のキーが配置されている。
この液晶部の左側には、ＦＡＸ切り替えキー４１２、コピー切り替えキー４１３、初期設定キー４１４、ガイダンスキー４１５、ＬＣＤ濃度調整ボリューム４１６がそれぞれ設けられている。
このキーの更に左の部分には、ＦＡＸ専用の表示部４１７が設けられている。この表示部には、通信中、メモリーフルなどの各種ＬＥＤと、通信状態を表示する４０文字（２０文字ｘ２行）のＬＣＤが設けられている。
【００１０】
図８は、図１に示したデジタル複写機の内部ブロック図である。
図８に示すように、この複写機本体１の制御は、液晶表示、各種ＬＥＤ制御、各種キー入力制御を行う操作部コントローラ５００、給紙、搬送、定着、両面、プロセス制御等を行うメインコントローラ５０１、画像制御／スキャナー読み取り制御を行う画像処理コントローラ５０２、ＡＤＦ制御を行うＡＤＦコントローラ５０３、３ビンソーター制御を行うソーターコントローラ５０４、給紙ユニット制御を行う給紙トレイコントローラ５０５、ＦＡＸの送受信管理・ファイル管理を行うＦＡＸコントローラ５０６、Ｇ３のプロトコル制御を行うＧ３コントローラ５０７、Ｇ４のプロトコル制御を行うＧ４コントローラ５０８、ＬＡＮ等のネットワーク制御を行うＥｔｈｅｒｎｅｔ（登録商標）コントローラなどで構成されている。
【００１１】
次に、図１および図２を参照して、本発明を実施したデジタル複写機について説明する。
なお、ここでは、簡易な本体構成にするために、機能として単純なコピー機能のみができるデジタル複合機を例とする。
図１は、本発明を実施したデジタル複写機の操作部４２０の一例を示す図である。
図７に示した従来の操作部４００との大きな差は、まず、携帯電話等の通信端末装置５０１を装着するための接続部５００が設けてあることである。この接続部５００に通信端末装置５０１を置くことにより、通信端末装置５０１と複写機本体１とが電気的に接続される。
また、従来あったアプリ切り替えキー４１２、４１３は、通信端末装置５０１が本体に装着されたときに、その機能が使えるようになるため、削除されている。また、従来あった左の部分のＦＡＸ専用部の領域４１７も全て削除されている。これも、通信端末装置５０１がこの複写機本体１に装着されるとファクス機能が使えるようになり、通信端末装置５０１のキーが従来のものを代用できるため削除されている。
また、従来の大型の液晶表示部（ＬＣＤ）４０１から、より安価な小型の液晶表示部（ＬＣＤ）４２１に置き換えられている。これも、通信端末装置５０１がこの複写機本体１に装着されるとファクス機能が使えるようになり、通信端末装置５０１の表示画面が従来のものを代用できるため、小さくしている。このようにして簡易なデジタル複合機の操作部４２０が構成できる。
【００１２】
図２は、本発明を実施したデジタル複写機の内部ブロック図である。
図２に示すように、この複写機本体１の制御は、液晶表示、各種ＬＥＤ制御、各種キー入力制御を行う操作部コントローラ７００、給紙、搬送、定着、両面、プロセス制御等を行うメインコントローラ７０１、画像制御／スキャナー読み取り制御を行う画像処理コントローラ７０２、ＡＤＦ制御を行うＡＤＦコントローラ７０３、３ビンソーター制御を行うソーターコントローラ７０４、給紙ユニット制御を行う給紙トレイコントローラ７０５、通信端末装置を装着するための接続部５００、外部との通信を行う着脱可能な通信端末装置５０１で構成される。すなわち、従来あったＦＡＸコントローラ５０６は、通信端末装置５０１が代用することになる。なお、本発明を実施したデジタル複写機の画像形成部は、図６に示したものと同様となっている。
上記構成において、通信端末装置５０１が接続部５００に装着されるとメインコントローラ７０１は、電気的接続を確認して、接続されていれば、機能を拡張するための処理を行う。すなわち、ファクス制御ソフト、ネットワーク制御ソフトが起動される（請求項１）。
ただし、ここで、誰でも使えると（どの通信端末装置でも接続可能）いうわけではなく、機器に許可された人の特定の通信端末装置のみが使えるように装着時の接続の確認では、通信端末装置５０１からの特定情報から認証を行う（請求項２）。
【００１３】
なお、上記機能を拡張するための処理には、下記のような処理がある。
ひとつは、機器から通信端末装置５０１へ制御ソフトをダウンロードして動かす方法である。まず、メインコントローラ７０１が、通信端末装置５０１との接続状態を確認して、接続されていれば、通信端末装置５０１に対して、拡張する制御ソフトを接続部５００を通して転送する。複数の制御ソフトがある場合、まとめて転送しておくこともでき、機能切り替え毎に転送してもよい。転送が終了すると通信端末装置５０１は、この送られてきた制御ソフトを実行する。メインコントローラ７０１は、通信端末装置５０１からの指示（コマンド、イベント等）で動作する。
また、一度認証された通信端末装置５０１は、取り外して無線等で遠隔操作できるようになる（請求項３）。
通信端末装置５０１の表示画面は、この制御ソフトに従って表示を行う。通信端末装置５０１のキーも、この制御ソフトに従って表示を行う。通信端末装置５０１の操作となるため、普段の使い勝手で行えるため、専用機器を扱うより操作性が向上する。
また、通信端末装置５０１内に記憶しているユーザー情報、例えば、ファクス機能の場合、宛先情報、蓄積・送信条件情報等、ネットワーク機能の場合、送信アドレス、蓄積条件情報等をメインコントローラ７０１へにも渡すことで、複写機本体１の操作部４２０のキーを使うことができる（請求項４）。この情報は、通信端末装置５０１内に記憶しているため、他のデジタル複写機のどこでも同じ条件で操作ができる。
通信端末装置５０１を個人毎に持てば、認証管理や課金管理も容易にしかも自動で（メインコントローラ７０１との接続確認時にチェックすることで）行うことができる。その場合、認証管理や課金管理を考えると、通信端末装置５０１が接続されたときのみこの複写機本体１が起動すればいいので、通信関連の制御ソフト（ファクス制御ソフトやネットワーク制御ソフト等）だけでなく、基本のコピー制御ソフトまで全ての制御ソフトを同様に制御することで管理を行うことができる。すなわち、コピーをとりたい時でも通信端末装置５０１を接続して、コントローラ７０１がコピー制御ソフトを通信端末装置５０１に転送して通信端末装置５０１からの制御でコピーをとることで、認証や課金の管理がなされる。
もうひとつは、最初から通信端末装置５０１に制御ソフトを入れておく方法である。上述した処理を行わないため、特定の制御ソフトしか扱わない場合や時間短縮したい場合に有効である。
また、通信端末装置５０１を装着して、任意の操作（ストップキー押下等）を行うと、制御ソフトの実行を中止し、メインコントローラ７０１に残っている履歴や更新情報を通信端末装置５０１へ引き渡す（請求項５）。
そして、通信端末装置５０１を機器本体から取り外すと、メインコントローラ７０１に残っていた情報は削除され、認証を解除する（請求項６）。もう通信端末装置５０１側からは、機器本体の制御ができなくなる。再度、装着して認証させることで使用できるようになる。
【００１４】
図３は、コントローラ７０１と通信端末装置５０１との通信の概略を示すフローチャートである。
図３に示すように、コントローラ７０１は、通常起動されると周期的に通信端末装置５０１が接続されたかどうか確認する（Ｃ−１）。通信端末装置５０１が接続されると（Ｓ−１）、コントローラ７０１は、通信端末装置５０１から特定情報を取得して（Ｓ−２）の認証を行い（Ｃ−２）、許可されると（Ｃ−３）機器本体が使用可能となる。そして、本体内にある制御ソフトを通信端末装置５０１へ転送する（Ｃ−４）。
通信端末装置５０１は、転送されたデータを取込み（Ｓ−４）、転送終了（Ｓ−３）で、その制御ソフトを実行する（Ｓ−５）。コントローラ７０１は、転送終了すると、通信端末装置５０１からの指示を待つ（Ｃ−５）。
通信端末装置５０１は、制御ソフト実行（Ｓ−５）に従ってコントローラ７０１へ指示を通知する。通常は、本体制御指示を通知する（Ｓ−６）。コントローラ７０１は、指示を受けるとそれに従った制御を実行する（Ｃ−６）。
ここで、請求項４の場合、宛先・通信条件情報をコントローラ７０１へ通知し（Ｓ−７）、コントローラ７０１は、通知を受けて内部設定を行う（Ｃ−７）。通信端末装置５０１が、コントローラ７０１へ制御ソフトの終了指示を通知すると（Ｓ−８）コントローラ７０１は中止処理を施し履歴等の情報を通信端末装置側へ送り（Ｃ−８、Ｓ−９）、全体の流れが終了する。
【００１５】
以上、本発明の実施例について説明したが、本発明は、以下に説明するような種々の変形例を有する。
まず、機器に許可された人（通信端末装置）のみが使えるように装着時の接続の確認では、通信端末装置５０１からの特定情報から認証を行うことができ、認証で許可されると機器内に蓄積されたデータにアクセスすることができる（請求項７）。
この場合、図４に示すように、機器は、通信端末装置５０１が装着されていなくても、ＦＡＸコントローラ５０２やネットワークコントローラ５０３があるので、ＦＡＸ受信やメール受信、コピーによる保存等の蓄積を行うことはできる。しかし、蓄積されたデータに関しては、認証されていなければ、この機器に受信されたＦＡＸデータや受信メール等にアクセスすることができない。認証されていれば、ＦＡＸ機能で言う特定相手先受信出力や親展受信出力の様な扱いにすることができる。図４は、本発明を実施したデジタル複写機においてＦＡＸコントローラ５０２やネットワークコントローラ５０３がある場合の内部ブロック図である。
また、認証で許可された状態で、機器内に受信されたＦＡＸデータやメール等の各種データがある場合、そのデータを通信端末装置５０１へ取り込むことができる（請求項８）。取り込んだデータは、着脱して通信端末装置５０１と共に持ち運びすることができる。通信端末装置５０１に表示手段がある場合、これらのデータを見ることができる。
また、他のデジタル複合機に装着して、そのデータをその機器に吐き出し（蓄積し）て、その機器の出力手段を使って出力することができる。例えば、印刷したり、パソコンへ転送してパソコンから表示させたりできる（請求項９）。
【００１６】
また、機能を拡張するための処理には、下記のような手段がある。
ひとつは、機器から通信端末装置５０１へ制御ソフトをダウンロードして動かす方法である。まず、メインコントローラ７０１が、通信端末装置５０１との接続状態を確認して、接続されていれば、通信端末装置５０１に対して、拡張する制御ソフトを接続部５００を通して転送する。複数の制御ソフトがある場合、まとめて転送しておくこともでき、機能切り替え毎に転送してもよい。転送が終了すると通信端末装置５０１は、この送られてきた制御ソフトを実行する。メインコントローラ７０１は、通信端末装置５０１からの指示（コマンド、イベント等）で動作する。
また、一度認証された通信端末装置５０１は、取り外して無線等で遠隔操作できるようになる（請求項１０）。通信端末装置５０１の表示画面は、この制御ソフトに従って表示を行う。通信端末装置５０１のキーも、この制御ソフトに従って表示を行う。通信端末装置５０１の操作となるため、普段の使い勝手で行えるため、専用機器を扱うより操作性が向上する。
もうひとつは、最初から通信端末装置５０１に制御ソフトを入れておく方法である。上記の処理を行わないため、特定の制御ソフトしか扱わない場合や時間短縮したい場合に有効である。この場合も、一度、通信端末装置５０１を装着し認証を行った後に、取り外して遠隔操作を行う。
もし、通信端末装置５０１から任意の時間アクセスが無かった場合、機器側は認証を解除する（請求項１１）。通常は、通信端末装置５０１を装着した状態、または、遠隔操作中に認証解除を操作する。忘れ防止のため、これを行うことで、個人情報の保護を担う。
【００１７】
図５は、コントローラ７０１と通信端末装置５０１との通信の変形例の概略を示すフローチャートである。
図５に示すように、機器内データをアクセスする場合の機器内コントローラ７０１と通信端末装置５０１との通信の概略を説明する。機器内コントローラ７０１は、通常起動されると周期的に通信端末装置５０１が接続されたかどうか確認する（Ｃ−１）。通信端末装置５０１が接続されると（Ｓ−１）、コントローラ７０１は、通信端末装置５０１から特定情報を取得して（Ｓ−２）の認証を行い（Ｃ−２）、許可されると（Ｃ−３）機器本体が使用可能となる。そして、本体内にある拡張機能の制御ソフトを起動（Ｃ−４）して、通信端末装置５０１からの指示を待つ（Ｃ−５）。通信端末装置５０１は、認証許可を確認し（Ｓ−３）、許可された場合、機器内コントローラ７０１への操作指示を行う（Ｓ−４）。そして、操作指示に従い、機器内コントローラ７０１と通信端末装置５０１は、機器内データを本体制御で処理（Ｓ−５ → Ｃ−６）したり、通信端末装置５０１への取り込み、吐き出し処理（Ｓ−６ → Ｃ−７）を行ったりする。終了する場合、認証解除を行って（Ｓ−７ → Ｃ−８）終了する。また、任意の時間が過ぎても、機器コントローラ７０１は、指示待ち（Ｃ−５）から終了処理（Ｃ−８）へ移行して終了する。
【図面の簡単な説明】
【００１８】
【図１】本発明を実施したデジタル複写機の操作部４２０の一例を示す図である。
【図２】本発明を実施したデジタル複写機の内部ブロック図である。
【図３】コントローラ７０１と通信端末装置５０１との通信の概略を示すフローチャートである。
【図４】本発明を実施したデジタル複写機においてＦＡＸコントローラ５０２やネットワークコントローラ５０３がある場合の内部ブロック図である。
【図５】コントローラ７０１と通信端末装置５０１との通信の変形例の概略を示すフローチャートである。
【図６】一般のデジタル複写機の要部に関する一実施形態の概略図である。
【図７】図６に示したデジタル複写機の操作部４００の正面図である。
【図８】図１に示したデジタル複写機の内部ブロック図である。
【符号の説明】
【００１９】
１…複写機本体、１０…コンタクトガラス、１１…露光ランプ、１２…第１ミラー、１３…第２ミラー、１４…第３ミラー、１５…レンズ、１６…ＣＣＤ、２０…レーザー出力ユニット、２１…ｆθレンズ、２２…ミラー、３０…感光体ドラム、３１…ユニット、３１…ＬＥＤアレイ、３２…黒現像器、３３…第２現像器、４０…両面ユニット、４１…両面搬送路、４２…フィードローラー、４３…分離コロ、５０…第１トレイ、５１…第１給紙装置、５２…レジストセンサー、５３…レジストローラ、５４…搬送装置、５５…定着装置、５６…排紙ローラー、５７、２０５、２０６、２０７…爪、６０…本体縦搬送ユニット、１００…ＡＤＦ、１０１…原稿給紙台、１０２…給紙ローラー、１０３…搬送ベルト、１０４…排紙ローラー、１０５…排紙トレイ、１０６…反転爪、２００…ビンソーター、２０１…第１排紙トレイ、２０２…第２排紙トレイ、２０３…第３排紙トレイ、２０４…反転トレイ、２０４…反転専用トレイ、２０８…反転検知センサー、２０９…搬送コロ、３１０…第２トレイ、３１１…第２給紙装置、３２０…第３トレイ、３２１…第３給紙装置、３３０…第４トレイ、３３１…第４給紙装置、３４０…バンク縦搬送ユニット、４００…操作部、４０１…液晶表示部、４０２…種テンキー、４０３…クリア／ストップキー、４０４…スタートキー、４０５…プログラムキー、４０６…ジョブリコールキー、４０７…モードクリア／予熱キー、４０８、４１２、４１３…キー、４０９…ポーズ／リダイヤルキー、４１０…短縮キー、４１１…受信キー、４１４…初期設定キー、４１５…ガイダンスキー、４１６…ＬＣＤ濃度調整ボリューム、４１７…表示部、４２０…操作部、５００…接続部、５０１…通信端末装置、５０２…画像処理コントローラ、５０２…ＦＡＸコントローラ、５０３…ネットワークコントローラ、５０３…ＡＤＦコントローラ、５０４…ソーターコントローラ、５０５…給紙トレイコントローラ、５０６…ＦＡＸコントローラ、５０７…コントローラ、５０８…コントローラ、７００…操作部コントローラ、７０１…メインコントローラ、７０１…機器コントローラ、７０１…機器内コントローラ、７０２…画像処理コントローラ、７０３…ＡＤＦコントローラ、７０４…ソーターコントローラ、７０５…給紙トレイコントローラ
【図１】
2005094704.tif 000003
【図２】
2005094704.tif 000004
【図３】
2005094704.tif 000005
【図４】
2005094704.tif 000006
【図５】
2005094704.tif 000007
【図６】
2005094704.tif 000008
【図７】
2005094704.tif 000009
【図８】
2005094704.tif 000010